【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、画像処理装置および画像処理方法に関し、詳しくは、インクを吐出する複数のノズル間の吐出量のばらつきに起因した濃度むらを低減するための画像処理に関するものである。
【手続補正３】
【補正対象書類名】明細書
【補正対象項目名】０００６
【補正方法】変更
【補正の内容】
【０００６】
本発明は、複数種類のインクを用いて画像を記録する場合に、複数のノズル間の記録特性のばらつきに起因して生じる色ずれを低減することが可能な画像処理装置および画像処理方法を提供することを目的とする。
【手続補正４】
【補正対象書類名】明細書
【補正対象項目名】０００７
【補正方法】変更
【補正の内容】
【０００７】
そのために本発明では、インクを吐出するための複数のノズルが所定方向に配列されたノズル列であって、色の異なる複数のインクそれぞれを吐出するための複数の前記ノズル列が前記所定方向と交差する方向に並んで配置され、前記複数のノズル列と前記記録媒体とを前記所定方向と交差する方向に相対的に走査させながら前記ノズルからインクを吐出することにより画像を記録するための画像データを生成する画像処理装置であって、前記複数のノズル列それぞれにより前記記録媒体の前記複数のノズル列毎に別々の位置に記録された、前記複数のノズル列それぞれの前記ノズルからの吐出量に関する吐出量情報を取得するための測定用画像の測定結果に基づいて、前記記録媒体の一部の領域を記録するための前記複数のノズル列それぞれの一部分の前記ノズルに関する前記吐出量情報を、前記記録媒体の前記所定方向における位置が異なる複数の前記領域にそれぞれ対応する、前記複数のノズル列の各部分について取得する取得手段と、前記取得手段により取得された、前記複数のノズル列の前記各部分についての前記吐出量情報に基づいて、メモリに保持された前記複数のインク色毎の前記情報の組合せに対応する補正パラメータであって、前記複数色のインクで形成される画像の色の複数の成分の入力値に応じた出力値の複数の成分の値を定める補正パラメータの中から、前記画像データの生成に用いる前記補正パラメータを前記複数のノズル列の前記各部分毎に決定する決定手段と、前記決定手段によって決定された補正パラメータに基づいて前記画像データを生成する生成手段と、を有することを特徴とする。
【手続補正５】
【補正対象書類名】特許請求の範囲
【補正対象項目名】全文
【補正方法】変更
【補正の内容】
【特許請求の範囲】
【請求項１】
インクを吐出するための複数のノズルが所定方向に配列されたノズル列であって、色の異なる複数のインクそれぞれを吐出するための複数の前記ノズル列が前記所定方向と交差する方向に並んで配置され、前記複数のノズル列と前記記録媒体とを前記所定方向と交差する方向に相対的に走査させながら前記ノズルからインクを吐出することにより画像を記録するための画像データを生成する画像処理装置であって、
前記複数のノズル列それぞれにより前記記録媒体の前記複数のノズル列毎に別々の位置に記録された、前記複数のノズル列それぞれの前記ノズルからの吐出量に関する吐出量情報を取得するための測定用画像の測定結果に基づいて、前記記録媒体の一部の領域を記録するための前記複数のノズル列それぞれの一部分の前記ノズルに関する前記吐出量情報を、前記記録媒体の前記所定方向における位置が異なる複数の前記領域にそれぞれ対応する、前記複数のノズル列の各部分について取得する取得手段と、
前記取得手段により取得された、前記複数のノズル列の前記各部分についての前記吐出量情報に基づいて、メモリに保持された前記複数のインク色毎の前記情報の組合せに対応する補正パラメータであって、前記複数色のインクで形成される画像の色の複数の成分の入力値に応じた出力値の複数の成分の値を定める補正パラメータの中から、前記画像データの生成に用いる前記補正パラメータを前記複数のノズル列の前記各部分毎に決定する決定手段と、
前記決定手段によって決定された補正パラメータに基づいて前記画像データを生成する生成手段と、
を有することを特徴とする画像処理装置。
【請求項２】
前記取得手段は、前記測定用画像の濃度を測定することにより前記測定結果を取得することを特徴とする請求項１に記載の画像処理装置。
【請求項３】
前記吐出量情報は、前記ノズルからの吐出量が複数のレベルで示された記録特性ランクであり、前記メモリは、それぞれ異なる色のインクに対応したノズルの記録特性ランクの総ての組合せに対応させて、前記補正パラメータを保持することを特徴とする請求項１または２に記載の画像処理装置。
【請求項４】
前記メモリは、それぞれ異なる色のインクに対応したノズルの記録特性ランクの総ての組合せのうち、当該総ての組合せの数より少ない数の前記組合せに対応させて、前記補正パラメータを保持し、
前記決定手段は、前記１または複数のノズルに対応して求められた記録特性ランクの組合せが、前記メモリに保持される前記補正パラメータの記録特性ランクの組合せ以外である場合に、前記メモリに保持される前記補正パラメータの記録特性ランクの組合せを用いた補間演算によって、前記ノズルに対応して求められた前記記録特性ランクの組合せの補正パラメータを決定し、前記生成手段は、求められた前記補正パラメータに基づいて前記ノズルに対応した前記画像データの値を補正することを特徴とする請求項１または２に記載の画像処理装置。
【請求項５】
前記生成手段は、前記ノズルに対応した画像データの値を補正する前に、異なる色のインクそれぞれについて、吐出量の変化に対する記録濃度の変化が線形になるように入力値を変換することを特徴とする請求項４に記載の画像処理装置。
【請求項６】
前記補正パラメータは、前記複数のノズル列の組合せにより記録された画像の色のずれを補正するためのパラメータであることを特徴とする請求項１乃至５のいずれか一項に記載の画像処理装置。
【請求項７】
前記複数のノズル列それぞれに前記測定用画像を記録手段に記録させる記録制御手段を有し、前記記録制御手段は、前記測定用画像を、前記複数のノズル列毎に前記記録媒体の前記交差する方向における位置を異ならせて記録することを特徴とする請求項１乃至６のいずれか一項に記載の画像処理装置。
【請求項８】
前記入力値および出力値は、ＲＧＢの信号値であることを特徴とする請求項１乃至７のいずれか一項に記載の画像処理装置。
【請求項９】
前記入力値はＲＧＢの信号値であり、前記出力値は前記インク色の濃度に対応する信号値であることを特徴とする請求項１乃至８のいずれか一項に記載の画像処理装置。
【請求項１０】
インクを吐出するための複数のノズルが所定方向に配列されたノズル列であって、色の異なる複数のインクそれぞれを吐出するための複数の前記ノズル列が前記所定方向と交差する方向に並んで配置され、前記複数のノズル列と前記記録媒体とを前記所定方向と交差する方向に相対的に走査させながら前記ノズルからインクを吐出することにより画像を記録するための画像データを生成する画像処理方法であって、
前記複数のノズル列それぞれの前記ノズルからの吐出量に関する吐出量情報を取得するための測定用画像を、前記複数のノズル列それぞれにより前記記録媒体の前記複数のノズル列毎に別々の位置に記録する記録工程と、
前記測定用画像に基づいて、前記記録媒体の一部の領域を記録するための前記複数のノズル列それぞれの一部分の前記ノズルに関する前記吐出量情報を、前記記録媒体の前記所定方向における位置が異なる複数の前記領域にそれぞれ対応する、前記複数のノズル列の各部分について取得する取得工程と、
前記取得工程により取得された、前記複数のノズル列の前記各部分についての前記吐出量情報に基づいて、メモリに保持された前記複数のインク色毎の前記情報の組み合わせに対応する補正パラメータであって、前記複数色のインクで形成される画像の色の複数の成分の入力値に応じた出力値の複数の成分の値を定める補正パラメータの中から、前記画像データの生成に用いる前記補正パラメータを前記複数のノズル列の前記各部分毎に決定する決定工程と、
前記決定工程によって決定された補正パラメータに基づいて前記画像データを生成する生成工程と、
を有することを特徴とする画像処理方法。
【請求項１１】
前記取得工程において、前記測定用画像の濃度を測定することにより前記測定結果を取得することを特徴とする請求項１０に記載の画像処理方法。
【請求項１２】
前記吐出量情報は、前記ノズルからの吐出量が複数のレベルで示された記録特性ランクであり、前記メモリは、それぞれ異なる色のインクに対応したノズルの記録特性ランクの総ての組合せに対応させて、前記補正パラメータを保持することを特徴とする請求項１０または１１に記載の画像処理方法。
【請求項１３】
前記メモリは、それぞれ異なる色のインクに対応したノズルの記録特性ランクの総ての組合せのうち、当該総ての組合せの数より少ない数の前記組合せに対応させて、前記補正パラメータを保持し、
前記決定工程は、前記１または複数のノズルに対応して求められた記録特性ランクの組合せが、前記メモリに保持される前記補正パラメータの記録特性ランクの組合せ以外である場合に、前記メモリに保持される前記補正パラメータの記録特性ランクの組合せを用いた補間演算によって、前記ノズルに対応して求められた前記記録特性ランクの組合せの補正パラメータを決定し、前記生成工程は、求められた前記補正パラメータに基づいて前記ノズルに対応した前記画像データの値を補正することを特徴とする請求項１０または１１に記載の画像処理方法。
【請求項１４】
前記生成工程において、前記ノズルに対応した画像データの値を補正する前に、異なる色のインクそれぞれについて、吐出量の変化に対する記録濃度の変化が線形になるように入力値を変換することを特徴とする請求項１３に記載の画像処理方法。
【請求項１５】
前記補正パラメータは、前記複数のノズル列の組合せにより記録された画像の色のずれを補正するためのパラメータであることを特徴とする請求項１０乃至１４のいずれか一項に記載の画像処理方法。
【請求項１６】
前記記録工程において、前記測定用画像を、前記複数のノズル列毎に前記記録媒体の前記交差する方向における位置を異ならせて記録することを特徴とする請求項１０乃至１５のいずれか一項に記載の画像処理方法。
【請求項１７】
前記入力値および出力値は、ＲＧＢの信号値であることを特徴とする請求項１０乃至１６のいずれか一項に記載の画像処理方法。
【請求項１８】
前記入力値はＲＧＢの信号値であり、前記出力値は前記インク色の濃度に対応する信号値であることを特徴とする請求項１０乃至１７のいずれか一項に記載の画像処理方法。
【請求項１９】
コンピュータに読み取られることにより、当該コンピュータを請求項１乃至９のいずれか一項に記載の画像処理装置として機能させるためのプログラム。